(57)【特許請求の範囲】
【請求項１】
殺鼠剤を内部に収容するための殺鼠剤用容器であって、
鼠が当該容器に進入するための入口と、
殺鼠剤を収容するための殺鼠剤収容室と、
前記殺鼠剤収容室に進入するための開口部と、
前記入口から前記開口部に鼠を導く通路と、を有し、
前記殺鼠剤収容室の空間は、前記開口部を除いて、天板と底板と側壁とで囲まれており、
前記入口及び開口部には側壁が存在せず、
前記通路は、前記入口から直進したときに突き当る進路変更用側壁を備え、
前記開口部は、前記進路変更用側壁に沿って進行した位置にあって、当該開口部から進入した後、前記殺鼠剤に向かうためには、進行方向を変えなければならない向きに開口しており、
前記殺鼠剤が前記殺鼠剤収容室に収容されると、前記入口から、前記開口部を通して前記殺鼠剤を目視できる隙間を有することを特徴とする殺鼠剤容器。
【請求項２】
前記通路は、奥に向かうほど暗くなるように外部から遮光されることを特徴とする請求項１に記載の殺鼠剤用容器。
【発明の詳細な説明】
【０００１】
【発明の属する技術分野】
本発明は、鼠の毒餌剤容器に関し、特に喫食性を向上させた殺鼠剤用容器に関する。
【０００２】
【従来の技術】
従来、毒餌剤容器としては種々のものが知られていたが、そのほとんどがゴキブリ用であった。ゴキブリ用以外では、アリ用等が若干あるが、いずれにしても小さな害虫をターゲットとしていた。
【０００３】
従来の殺鼠剤は数日間食べ続けさせて体内に有効成分を蓄積させ、その結果、致死させるものであった。したがって、毒性が低く誤食の問題が少ないため、開放型の容器が使用可能であった。
【０００４】
【発明が解決しようとする課題】
しかし、殺鼠剤においても、ゴキブリ用毒餌剤のように一回の喫食で効果が現れるような製剤も開発されており、誤食を防止できる殺鼠剤用容器の開発が望まれている。従来の殺鼠剤用容器は開放型であったため、誤食防止機能が十分とはいえなかった。
また、従来の殺鼠剤用容器では、鼠の喫食性が十分とはいえなかった。
本発明は、上記事情に鑑みてなされたもので、その目的は、幼児などの誤食防止ができ、かつ、鼠の喫食性を向上させた殺鼠剤用容器を提供することにある。
【０００５】
【課題を解決するための手段】
本発明の目的は、下記構成により達成される。
（１）  殺鼠剤を内部に収容するための殺鼠剤用容器であって、鼠が当該容器に進入するための入口と、殺鼠剤を収容するための殺鼠剤収容室と、前記殺鼠剤収容室に進入するための開口部と、前記入口から前記開口部に鼠を導く通路と、を有し、前記殺鼠剤収容室の空間は、前記開口部を除いて、天板と底板と側壁とで囲まれており、前記入口及び開口部には側壁が存在せず、前記通路は、前記入口から直進したときに突き当る進路変更用側壁を備え、 前記開口部は、前記進路変更用側壁に沿って進行した位置にあって、当該開口部から進入した後、前記殺鼠剤に向かうためには、進行方向を変えなければならない向きに開口しており、前記殺鼠剤が前記殺鼠剤収容室に収容されると、前記入口から、前記開口部を通して前記殺鼠剤を目視できる隙間を有することを特徴とする殺鼠剤容器。
（２）  前記通路は、奥に向かうほど暗くなるように外部から遮光されることを特徴とする（１）に記載の殺鼠剤用容器。
【０００６】
上記構成の殺鼠剤用容器によれば、鼠は、入口から、内部に収容された殺鼠剤に辿り着くまでの間に、少なくとも体の向きを２回変えながら殺鼠剤へと向かう。このような構成により、鼠の警戒心が薄らぐためか、鼠の喫食性が増加する。また、入口から角を曲がらなければ殺鼠剤に辿り着けないようにすることで、幼児などの誤食防止効果を奏する。また、通路の奥に向かうほど暗くなるように外部から遮光されている場合、鼠のもつ暗い場所を好む習性からか、鼠の喫食性を顕著に増加させることができる。
【０００７】
殺鼠剤の形態は、ゲル、ペースト、ゼリー、液体など、どのような形態であってもよい。また、殺鼠剤の効能は、速効性であっても、遅効性であってもよい。殺鼠剤が速効性である場合には、その殺鼠剤を食した鼠はその周囲で死に至る。殺鼠剤が遅効性である場合には、鼠がその殺鼠剤を巣に持ち帰れば、その持ち帰った殺鼠剤を食した他の鼠も防除することができる。
【０００８】
殺鼠剤としては、例えば、穀物をパラフィンで固めてかじりやすくしたものに、有効成分として、単回摂食型のジフェチアロンを加えたものが挙げられる。
【０００９】
【発明の実施の形態】
以下、本発明の実施形態を図面に基づいて詳しく説明する。図１に、本発明の第１実施形態の殺鼠剤用容器１０を示す。殺鼠剤用容器１０は、入口から殺鼠剤までの通路に、通路を通過する鼠に体の向きを変えせしめる角を２個有している。殺鼠剤用容器１０は、主として、殺鼠剤収容部１１と、エントランス部１２とから構成される。殺鼠剤用容器１０は、例えば、厚さ寸法が１ｍｍ〜２ｍｍ程度の一枚の厚紙に適宜切り込みを入れ、それを折り畳むことによって簡単に形成される。
【００１０】
殺鼠剤収容部１１は、天板１３、底板１４、第一側板１５、第二側板１６、後板１７、第一進路変更用板２３、第二進路変更用板２４によって外部から遮光された暗い空間になっている。
エントランス部１２は、天板延長部１８、前板１９、底板延長部２０、第一側板延長部２１、第二側板延長部２２、第一進路変更用板２３、第二進路変更用板２４、第一開口部２５、第二開口部２６（図２に示される）を備えている。
【００１１】
天板延長部１８は、天板１３の前端部における中央部から四角形の屋根状に突出して形成されている。前板１９は、後板１７に対向するように、天板延長部１８の前端部に連設されている。前板１９は、上部の長さ寸法（幅寸法）が下部の長さ寸法よりも大きく形成されている。
底板延長部２０は、底板１４の前端部から延長して形成されている。底板延長部２０の中央部には、前板１９の下端部が連設されている。第一側板延長部２１は、第一側板１５の前端部から延長して形成されている。第二側板延長部２２は、第一側板延長部２１に対向するように、第二側板１６の前端部から延長して形成されている。
【００１２】
第一進路変更用板２３は、天板１３の前端部における第一側板１５側において後板１７に対向するように、天板１３及び底板延長部２０に連設されている。第一進路変更用板２３は、前板１９から後板１７側に引っ込んで配置されている。
第二進路変更用板２４は、天板１３の前端部における第二側板１６側において後板１７に対向するように、天板１３及び底板延長部２０に連設されている。第二進路変更用板２４は、前板１９から後板１７側に引っ込んで配置されている。
【００１３】
第一開口部２５は、エントランス部１２の第一側板延長部２１側において、天板延長部１８、前板１９、底板延長部２０、第一進路変更用板２３によって囲まれた四角形状の開口として形成されている。第一開口部２５は、殺鼠剤収容部１１内に連通されている。
エントランス部１２には、前板１９、底板延長部２０、第一側板延長部２１によって囲まれた第一入口２８が形成されている。第一入口２８の上方部は開放されている。
【００１４】
第二開口部２６は、エントランス部１２の第二側板延長部２２側において、天板延長部１８、前板１９、底板延長部２０、第二進路変更用板２４によって囲まれた四角形状の開口として形成されている。第二開口部２６は、第一開口部２５と同様に、殺鼠剤収容部１１内に連通されている。
エントランス部１２には、前板１９、底板延長部２０、第二側板延長部２２によって囲まれた第二入口２９が形成されている。第二入口２９の上方部は開放されている。
こうして、エントランス部１２の、前板１９の一方側（図では右側）に第一入口２８が配置され、前板１９の他方側（図では左側）に第二入口２９が配置されている。
【００１５】
図２に示すように、殺鼠剤収容部１１の中央部には、殺鼠剤８０が置かれた皿２７が配置されている。殺鼠剤８０は、周囲を囲まれた殺鼠剤収容部１１に置かれるので、第一入口２８、第二入口２９を通じてユーザーが直接見れないようになっている。
【００１６】
第一入口２８の殺鼠剤収容部１１側には、第一進路変更用板２３が配置されているため、鼠は第一入口２８から殺鼠剤収容部１１に向けて直線的に進行できず、第一進路変更用板２３に突き当たって、第一開口部２５がある左を向く。すなわち鼠は、略９０°体の向きを変える。そして鼠は、第一開口部２５内において、第一進路変更用板２３と第二進路変更用板２４との間を通って殺鼠剤へと向かうべく、右を向く。すなわち鼠は、再び略９０°体の向きを変える。図２に想像線で示すように、このときの鼠の第一入口２８から殺鼠剤収容部１１へ至る進入通路Ｒ１には、角ａ１、角ａ２がある。第一入口２８から第一開口部２５を通じて殺鼠剤収容部１１に向かうほど、外部から遮光されて暗くなる。
第二入口２９は、第一入口２８と対称に形成されている。第二入口２９からの進入通路Ｒ２にも、第一入口２８と同様に、角ａ１、角ａ２がある。
【００１７】
図３に示すように、前板１９の上部の長さ寸法（幅寸法）は下部の長さ寸法よりも大きい。これにより、前板１９の前方から見た場合に（鼠の視線で見た場合に）、前板１９と第一進路変更用板２３との間、及び、前板１９と第二進路変更用板２４との間に隙間部２９，２９がそれぞれ形成され、それら隙間部２９，２９を介して殺鼠剤収容部１１内の殺鼠剤８０をわずかながら目視できる。これは、鼠の好奇心を向上させて喫食性を高める機能をもつ。
【００１８】
以上のような構成の殺鼠剤用容器１０によれば、前板１９の両側に配置された第一入口２８、第二入口２９のいずれか一方から進入した鼠は、２箇所で体の向きを変えながら殺鼠剤へと向かう。それにより、鼠は警戒心が薄れて喫食性が増加した状態でもって殺鼠剤８０を食する。
なお、後板１７に、スリットや透明窓を設けて、鼠の警戒心を一層和らげるようにしてもよい。
【００１９】
図４に、第１実施形態の殺鼠剤用容器１０を上下反対に置いた場合を示す。殺鼠剤用容器１０は、底板１４、底板延長部２０によって、上方部の全体が覆われている。これにより、底板１４及び底板延長部２０が遮光板として機能するため、エントランス部１２における第一入口２８、第二入口２９のそれぞれが更に暗くされる。
【００２０】
図５に、本発明の第２実施形態の殺鼠剤用容器４０を示す。なお、以下に示す実施形態において、既に説明した部材等と同様な構成・作用を有する部材等については、図中に同一符号又は相当符号を付することにより、説明を簡略化或いは省略する。
【００２１】
図５に示す殺鼠剤用容器４０は、エントランス部１２の中央部に単一の入口４１が形成されている。入口４１の幅寸法は、第１実施形態の第一又は第二入口２８，２９と比べて大きくなっている。入口４１の両側には、第一前板４２、第二前板４３がそれぞれ配置されている。入口４１の奥には、単一の進路変更用板４４が配置されている。そして、第一前板４２と進路変更用板４４との間に第一開口部４５が形成され、第二前板４３と進路変更用板４４との間に第二開口部４６が形成されている。
本実施形態では、第一開口部４５、第二開口部４６への入口として、入口４１が共用される。
【００２２】
第一前板４２、第二前板４３は、上部の長さ寸法（幅寸法）が下部の長さ寸法よりも大きい。そのため、第一前板４２及び第二前板４３の前方から、鼠の視線で殺鼠剤用容器４０を見た際に、それら板４２，４３と進路変更用板４４との間に一対の三角形の隙間が生ずる。これにより、隙間を介して鼠が殺鼠剤収容部１１内の殺鼠剤をわずかながら目視できるようになっている。これは、鼠の喫食性を高める機能をもつ。そして、入口４１の幅寸法が第１実施形態のものと比べて大きくされていることから、逃げ道の確保が確実なものとなって、鼠の警戒心を更に和らげるものとなる。
【００２３】
第２実施形態の殺鼠剤用容器４０では、入口４１から進入した鼠は、進路変更用板４４に突き当たって、第一開口部４５がある右か、第二開口部４６がある左を向く。すなわち鼠は、略９０°体の向きを変える。そして鼠は、第一開口部４５内又は第二開口部４６内において、再び略９０°体の向きを変えて、殺鼠剤収容部１１に置かれた殺鼠剤へと向かう。このときの鼠の進入通路Ｒ１、Ｒ２には、角ａ１、角ａ２があり、鼠は警戒心が薄れて喫食性が増加した状態でもって殺鼠剤８０を食する。
【００２４】
図６に、本発明の第３実施形態の殺鼠剤用容器５０を示す。殺鼠剤用容器５０は、殺鼠剤収容部１１とエントランス部１２とが単一の隔離板５１によってほぼ隔離されている。前板１９の第一側板１５側には、単一の入口５２が隔離板５１と第一側板１５との間に形成されている。隔離板５１の後端部には、殺鼠剤へと向かうための開口部５３が形成されている。すなわち、前板１９から後板１７に向かって第一側板１５と平行に延びた隔離板５１は、後板１７に至る手前で終端しており、後板１７と隔離板５１との間に開口部５３が形成されている。
【００２５】
第３実施形態の殺鼠剤用容器５０では、入口５２の奥に配置された後板１７が進路変更用板の機能をもつ。そのため、入口５２から殺鼠剤収容部１１に向けた直線的な通路は形成されず、入口５２から進入した鼠は、後板１７に突き当たって左を向き、殺鼠剤収容部１１へと向かう。入口５２から殺鼠剤収容部１１へ至る進入通路Ｒ１には、角ａ１がある。
【００２６】
図７に、本発明の第４実施形態の殺鼠剤用容器６０を示す。殺鼠剤用容器６０は、第２実施形態のものと同様なエントランス部が前方及び後方にそれぞれ配置されている。すなわち、殺鼠剤用容器６０は、殺鼠剤収容部１１の前方に配置されて第一入口６１をもつ第一エントランス部６２と、殺鼠剤収容部１１の後方に配置されて第二入口６３をもつ第二エントランス部６４とを有している。
【００２７】
第一エントランス部６２と第二エントランス部６４とは、殺鼠剤収容部１１を挟んで前後に一対にして形成されている。第一エントランス部６２の両側には、第一前板６５と進路変更用板６６との間に第一開口部（図８に示される）６７が形成され、第二前板６８と進路変更用板６６との間に第二開口部６９が形成されている。第二エントランス部６４の両側には、第一エントランス部６４と同様に、第一開口部、第二開口部（図示せず）がそれぞれ形成されている。
【００２８】
本実施形態では、第一エントランス部６２からの進入通路Ｒ１，Ｒ２にそれぞれ、角ａ１、角ａ２がある。また、第二エントランス部６４からの２個の進入通路にも、第一エントランス部６２と同様に、２個の角がある。
【００２９】
図８に示されるように、第４実施形態の殺鼠剤用容器６０の第一エントランス部６２において、第一前板６５、第二前板６８は、上部の長さ寸法（幅寸法）が下部の長さ寸法よりも大きい。そのため、第一前板６５及び第二前板６８の前方から鼠の視線で殺鼠剤用容器６０を見た際に、進路変更用板６６との間に一対の三角形の隙間７０，７１がそれぞれ生ずる。そして、これら隙間７０、７１は、第二エントランス部６４にも対称に形成されていて、前方から後方が透視できるようになっている。これにより、鼠が前方または後方から見た場合に、殺鼠剤収容部１１内の殺鼠剤８０が隙間７０、７１を介してわずかながら目視できることにより喫食性が高められるとともに、前方から後方側が透視できることにより鼠の警戒心を和らげるように機能する。そして、第一入口６１、第二入口６３の幅寸法が第１実施形態のものと比べて大きくされていることから、逃げ道の確保が確実なものとなって、鼠の警戒心を更に和らげるものとなる。
【００３０】
図９に、図６に示した第３実施形態の変形例を示す。殺鼠剤用容器５０ａは、殺鼠剤収容部１１を挟むように、一対の隔離板５１、５１を備えている。前板１９の第一側板１５側には、入口５２が隔離板５１と第一側板１５との間に形成され、前板１９の第二側板１６側には、入口５２が隔離板５１と第二側板１６との間に形成されている。隔離板５１、５１の後端部には、殺鼠剤へと向かうための開口部５３がそれぞれ形成されている。
本例でも、入口５２の奥に配置された後板１７が進路変更用板の機能をもつ。そのため、入口５２から殺鼠剤収容部１１に向けた直線的な通路は形成されず、入口５２から進入した鼠は、後板１７に突き当たって左又は右を向き、殺鼠剤収容部１１へと向かう。入口５２から殺鼠剤収容部１１へ至る進入通路Ｒ１、Ｒ２には、角ａ１がある。
【００３１】
【実施例】
次に、実施例に基づいて本発明の効果を説明する。先ず、上述した、第３実施形態（図６）、第１実施形態（図１）、第２実施形態（図５）と同様な形態であって、入口の広さ及び外形寸法を同等にした殺鼠剤用容器を用意した。また、図１０に示すような殺鼠剤用容器９０も用意した。この殺鼠剤用容器９０には、２個の入口９１、９２から殺鼠剤（餌）８０が置かれた皿２７までの間に直線的な通路Ｒ０、Ｒ０がそれぞれ形成されている。
各殺鼠剤用容器の、殺鼠剤収容部内の皿に、２０グラムの無害餌を置いた。そして、それら殺鼠剤用容器を、広さが約２．５畳あり、２５匹が放し飼いで飼育されているクマネズミ用飼育ケージに３日間同時に放置した。その後、各殺鼠剤用容器内の餌の減った量（喫食量）及び糞の数を観察した。結果を表１に示す。
【００３２】
【表１】
0003868289.tif 000002
【００３３】
図６に示した殺鼠剤用容器の場合、喫食量は６．５９グラムであり、糞の数は３個であった。図１０に示したタイプと比べて、喫食量が約５倍になった。
図１に示した殺鼠剤用容器の場合、喫食量は１０．６８グラムであり、糞の数は４個であった。角の数が１個から２個になることにより、喫食量及び糞の数が増加した。
図５に示した殺鼠剤用容器の場合、喫食量は１３．４グラムであり、糞の数は８個であった。
【００３４】
なお、本発明は、前述した実施形態に限定されるものではなく、適宜な変形、改良等が可能である。
例えば、鼠が好む色で殺鼠剤収容部１１内を塗装したり、その色に染めた皿２７を用いたりしてもよい。また、材質は紙に限らず、鼠にかじられても形状が変わらないような材料で成形するのもよい。
【００３５】
【発明の効果】
以上説明したように、本発明によれば、誤食防止ができ、かつ、鼠の喫食性が高い毒餌剤容器となる殺鼠剤用容器を提供できる。
【図面の簡単な説明】
【図１】本発明の第１実施形態を示す外観斜視図である。
【図２】第１実施形態の一部破断平面図である。
【図３】第１実施形態の正面図である。
【図４】第１実施形態の上下を反対にして用いた状態の外観斜視図である。
【図５】本発明の第２実施形態を示す外観斜視図である。
【図６】本発明の第３実施形態の一部破断平面図である。
【図７】本発明の第４実施形態の外観斜視図である。
【図８】第４実施形態の正面図である。
【図９】変形例を示す一部破断平面図である。
【図１０】比較例の一部破断平面図である。
【符号の説明】
１０，４０，５０，６０  殺鼠剤用容器
２８                    第一入口（入口）
２９                    第二入口（入口）
８０                    殺鼠剤
ａ１，ａ２              角
Ｒ１                    進入通路（通路）
Ｒ２                    進入通路（通路）
【図１】
0003868289.tif 000003
【図２】
0003868289.tif 000004
【図３】
0003868289.tif 000005
【図４】
0003868289.tif 000006
【図５】
0003868289.tif 000007
【図６】
0003868289.tif 000008
【図７】
0003868289.tif 000009
【図８】
0003868289.tif 000010
【図９】
0003868289.tif 000011
【図１０】
0003868289.tif 000012